(57)【要約】      （修正有）【課題】暴漢からとっさに身体を物理的に保護し、使用時に通報や避難行動の為、片手を空けられる鞄を提供する。【解決手段】鞄１０は、取っ手付き防御板３１を収納でき、緊急時には鞄１０側面に開いた穴２４を通して防御板取っ手３２を保持する事により、鞄１０全体を盾として使う。取っ手付き防御板３１を鞄１０から取り出す事により簡易盾３０として使え、迅速な非難を可能とする。防御板３１に紐かけ部３３を設ける事により防犯ブザーや懐中電灯等を取り付けられ、通報や周囲へ知らせる事を可能とする。簡易盾３０を単体で準備する事により増設や破損時の交換が容易になる。【選択図】図１
0003230953.tif 000002
【実用新案登録請求の範囲】
【請求項１】
側面の内側に取っ手付き防御板を保持内包し、外部から防御板の取っ手を持つ事のできる穴を設けた事を特徴とする鞄。
【請求項２】
請求項１に記載の鞄において、防御板に紐かけ部を設けた事を特徴とする鞄。
【請求項３】
請求項１及び２に記載の鞄に収納する為、収納した時に鞄の穴から持つ事ができる大きさ及び位置の取っ手を有し、紐かけ部を設けた事を特徴とする簡易盾。
【請求項４】
請求項３に記載の簡易盾において、表面に保護シートが貼ってあり、表面と保護シートの間に気泡がある事を特徴とした簡易盾。
【考案の詳細な説明】
【技術分野】
【０００１】
本考案は、緊急時に鞄を盾にして暴漢等から体を守る鞄である。より詳しくは
（イ） 片手で保持する事ができ、
（ロ） 即座に鞄と防御板を分離する事ができ、
（ハ） 防御板に防犯ブザーなど取り付ける事ができる、
鞄である。
【背景技術】
【０００２】
近年刃物を持った暴漢に襲われる事件が多発している。場所も電車内、路上、職場、自宅と多岐にわたる。刃物の他にガソリンなど可燃物を撒く事件も報じられている。
【０００３】
これに対処する為に鞄を盾にするのは以前から提案されている。
【０００４】
たとえば、特許文献１では、手に持ちあるいは提げた時に人体側面に対し平行する鞄本体側面に、手を差し込みあるいは手に掴むことができる取付部材を取付けした防御機能付き鞄が開示されている。
【０００５】
特許文献２では鞄に堅牢な防御板を内包し、そのまま鞄を盾とする防御板付き鞄が開示されている。
【先行技術文献】
【特許文献】
【０００６】
【特許文献１】実用新案登録第３０４０６０８号公報
【特許文献２】実用新案登録第３２２４１１８号公報
【考案の概要】
【考案が解決しようとする課題】
【０００７】
しかしながら、特許文献１の鞄は、鞄に取り付けされた取付部材に、手を差し込み盾として使用されるため、暴漢への遭遇又は攻撃から防御態勢に至るまでに手間がかかる。そして、その手間が暴漢からの攻撃に対しての防御行動が遅れ、場合によっては生死を分ける要因となることもある。収納物の有無によっても防御力が異なり、所望の防御力が無い時もある。
【０００８】
特許文献２の鞄は両手で保持する事になるので、携帯電話での通報、防犯ブザーの操作、屋内では外部に避難する為のドアの操作が難しくなる。
【０００９】
本考案は、このような刃物を持った暴漢からから身体を守り、同時に通報などの行動を可能とするのに鞄を用いる為、下記８点を鋭意検討した。
（１）とっさに体を物理的に守り、特別な操作を必要しない事。
（２）従来の鞄と比較して収納力が大幅に変わらない事。
（３）防御性能が日によって変わらない事。
（４）避難や通報の為、片手を空けられる事。
（５）簡単な操作で防御板だけ分離でき、迅速な避難ができる事。
（６）防犯ブザー、懐中電灯など取り付け可能な事。
（７）ガソリンなどの可燃物に対しても考慮する事。
（８）一般に安価な部材を使用し、コスト面、生産性に配慮する事。
本考案は以上の問題点を解決するものである。
【課題を解決するための手段】
【００１０】
本考案に係る鞄は、具体的には、以下のとおりである。
［１］側面の内側に取っ手付き防御板を保持内包し、外部から防御板の取っ手を持つ事のできる穴を設けた事を特徴とする鞄。
［２］前記[１]に記載の鞄において、防御板に紐かけ部を設けた事を特徴とする鞄。
［３］前記[１]及び[２] に記載の鞄に収納する為、収納した時に鞄側面の穴から持つ事ができる大きさ及び位置の取っ手を有し、紐かけ部を設けた事を特徴とする簡易盾。
［４］前記[３]に記載の簡易盾において、表面に保護シートが貼ってあり、表面と保護シートの間に気泡がある事を特徴とした簡易盾。
【考案の効果】
【００１１】
本考案にかかる鞄によれば、鞄側面に空いている穴を通して防御板を外側から保持することにより、（イ）特別な操作を必要とせず、片手を空けたまま身体を物理的に保護でき、（ロ）簡易盾を鞄から取り出せば軽量となるので迅速な避難が可能となり、（ハ）簡易盾に防犯ブザー等が取り付けてあれば通報で周囲に知らせる事ができる優れた効果が奏される。
【図面の簡単な説明】
【００１２】
【図１】本考案に係る鞄の一態様を示すための図である。
【図２】本考案に係る鞄に保持内包する簡易盾の一態様を示すための図である。
【考案を実施するための形態】
【００１３】
本考案を説明する為に便宜的に以下に語句を定義する。
穴側面：長手、短手、厚みのある鞄で長手と短手方向で構成された面で外側から取っ手を持つ穴が開いている。
通常側面：長手、短手、厚みのある鞄で長手と短手方向で構成された面。
簡易盾：防御板に取っ手が付いており、組み合わせで紐かけ部、及び保護シートが貼ってあり、これらを一体とした状態の物。単独で盾として使う。
【００１４】
以下、本考案に係る鞄について、適宜図面を参照しつつ説明する。
本発明に係る鞄１０は、図１の鞄本体２０を例示し取っ手２１、穴側面２２、通常側面２３、簡易盾３０で構成される。穴側面２２には防御板用取っ手穴２４が開いている。鞄本体２０はポケット２５又は接続具２６で鞄に簡易盾３０を保持内包する。
簡易盾３０は防御板３１と防御板用取っ手３２で構成され、組み合わせで紐かけ部３３、保護シート３４が付く。
【００１５】
鞄１０は通常時には取っ手２１を持ち携行する。
緊急時には外側から防御板取っ手３２を持つ事により鞄１０をそのまま盾として使用できる。
【００１６】
簡易盾３０は防御板用ポケット２５で内包、又は接続具２６で穴側面２２内側に保持されている。これにより鞄の中身が無い時に簡易盾３０が通常側面２３方向に移動し、防御板用取っ手穴２４から防御板取っ手３２が即座に掴めないのを防ぐ。同時に斜めに鞄内に配置するのを防ぎ、鞄本来の収納力を確保できる。
【００１７】
接続具２６は面ファスナー、スナップボタン、磁石などが挙げられるが特に限定されるものではない。面ファスナーであれば脱着も瞬時にできる。
【００１８】
防御板３１は硬質プラスチック、アルミ合金などが挙げられるが特に限定されるものではない。
例えば日本工業規格Ｂ４版で厚さ２ｍｍのポリカーボネートなら約２５０ｇで５００ｍｇのペットボトル飲料の半分の重量で堅牢で火にも強い。厚さ２ｍｍであれば鞄本来の収納力を圧迫しない。
【００１９】
防御板３１をポリカーボネート製にすると火に強く、透明なので視界も確保でき、火災時には頭部を保護しつつ避難が容易になる。
【００２０】
防御板３１は単一の材質に限らず、複数の材質の板を重ねた物でもよい。またプラスチック板は保護シート３４を貼った状態で流通している物があるが、これを剥がさずそのまま取っ手を付けて使用してもよい。
【００２１】
暴漢は刃物の他にガソリン、シンナーなど燃焼する液体を持った者も考えられる。一部のプラスチック板は石油系溶剤に弱いとされる。しかしながら、プラスチック板は流通時に保護シート３４が貼ってある物があり、これを剥がさずに簡易盾３０を構成すると、液体を掛けられてもまず表面の保護シート３４と化学反応し劣化させるので、防御板３１の劣化は最小限に抑えられる複合装甲になる。
【００２２】
図２に示すように、防御板３１と保護シート３４の間に気泡３５を入れると、液体を掛けられた時に保護シート３４と化学反応した残りの液体が直接防御板３１に付くのを少なくでき、防御板３１の劣化をより防ぐ事ができる中空装甲になる。
【００２３】
防御板３１と保護シート３４の間に気泡３５があると、防御板３１と保護シート３４の接触面が少なくなり、液体がかかった時に剥がすのが容易になる。
【００２４】
簡易盾３０を別に準備する事により、不意の破損、訓練での破損などがあっても交換が容易になる。後日に防御板用の優れた素材が開発された時も交換が容易になる。また簡易盾３０のみを玄関、居間などに置く事により、家庭内での事件、事故にも対応できる。
【００２５】
防御板取っ手３２はプラスチック、布、皮革などが挙げられるが特に限定されるものではない。
布、皮革であれば押し付けると平らになるので保管時にかさばらない。この場合、留置所から容疑者が逃走したなどのニュースがあり、不安な時には簡易盾３０を容易に追加できる。
【００２６】
紐かけ部３３は粘着テープで貼り付けるフック（商品名ピタック）、カラビナなど開閉可能リングが挙げられるが特に限定されるものではない。防犯ブザー、懐中電灯などを紐で防御板３１に取り付ける。高輝度ＬＥＤの懐中電灯ならば暴漢の顔に向ける事により短時間目を眩ませる事ができ、避難が容易になる。同時に防犯カメラがある場所であれば暴漢の顔を記録する事ができ、逮捕にも繋がる。
【００２７】
紐かけ部３３は複数設ける事もできる。この場合防犯ブザー、懐中電灯、防犯スプレーなど複数を保持できる。緊急時も暴漢に限らず火災などもあるので複数の事態に対処できる。位置は図１では左下に例示してあるが限定する物ではない。
【００２８】
防御板取っ手３２を持つと鞄本体２０、及び収納物の重さを防御板用取っ手穴２４で支える事になる。予め鞄本体２０に重い物を入れる事が判っていれば穴補強部２７を付ける事もできる。穴補強部２７はデニム生地、プラスチック、金属など考えられるが特に限定されるものではない。
【００２９】
鞄本体２０に重い物を入れると盾として軽快な使用が妨げられる。この場合は接続具２６を外して簡易盾３０を鞄本体２０と分離、又は防御板用ポケット２５より簡易盾３０を取り出し、簡易盾３０のみで使用する。緊急の時は取っ手２１が下になるように防御板取っ手３２を上下逆に持つ事により、鞄本体２０の中身を落下させ、全体の重量を軽減しつつ使用する事もできる。
【００３０】
図１では例示で長手方向を縦に使う鞄本体２０に縦方向に防御板取っ手３２を配置してあるが、鞄本体２０、防御板取っ手３２とも長手方向、短手方向、縦横の組み合わせを限定するものではない。
【００３１】
本考案は側面がある鞄であれば矩形に限らず、例えば楕円形のデザイン性の高い鞄にも適応できる。例えばゲームのキャラクターが使う盾のデザインの買い物鞄や通塾鞄に適応すれば子供さん向けに製造でき、買い物や通塾時の防犯に役に立つ。
【符号の説明】
【００３２】
１０：  本考案に係る鞄
２０：  鞄本体
２１：  取っ手
２２：  穴側面
２３：  通常側面
２４：  防御板用取っ手穴
２５：  防御板用ポケット
２６：  接続具
２７：  穴補強部
３０：  簡易盾
３１：  防御板
３２：  防御板取っ手
３３：  紐かけ部
３４：  保護シート
３５：  気泡
【図１】
0003230953.tif 000003
【図２】
0003230953.tif 000004
【手続補正書】
【提出日】令和2年12月9日(2020.12.9)
【手続補正１】
【補正対象書類名】実用新案登録請求の範囲
【補正対象項目名】請求項３
【補正方法】変更
【補正の内容】
【請求項３】
請求項１〜２のいずれか一項に記載の鞄に収納する為、収納した時に鞄の穴から持つ事ができる大きさ及び位置の取っ手を有し、紐かけ部を設けた事を特徴とする簡易盾。